(57)【要約】【課題】  小型かつ低価格で、高い形状精度が達成でき、高性能の正立正像を得ることができる実像式ファインダを提供する。【解決手段】  対物レンズ１と接眼レンズ２の間に、対物レンズ１からの入射光束ｌｐ０を対物レンズ１に向かう斜め前方へ偏向する第１反射面Ｒ１と、第１反射面Ｒ１からの第１反射光束ｌｐ１を対物レンズ１に向かう斜め前方へ偏向する第２反射面Ｒ２と、第２反射面からの光束を対物レンズ１に向かう斜め前方へ偏向する第３反射面Ｒ３と、第３反射面Ｒ３からの第３反射光束ｌｐ３を接眼レンズ２の瞳側へ偏向する第４反射面Ｒ４を有する光学系を設け、第４反射面Ｒ４から接眼レンズ２に向かう第４反射光束ｌｐ４の光出射光軸２２を対物レンズ１の光入射光軸２１と略平行とした。【選択図】    図１
2005134471.tif 000002
【特許請求の範囲】
【請求項１】
正の屈折率の対物レンズと、該対物レンズによる像を拡大する正の屈折率の接眼レンズとを備えた実像式ファインダにおいて、
前記対物レンズと前記接眼レンズの間に、
前記対物レンズからの光束を、前記対物レンズに向かう斜め前方へ偏向する第１反射面と、
該第１反射面からの光束を、前記対物レンズに向かう斜め前方へ偏向する第２反射面と、
該第２反射面からの光束を、前記対物レンズに向かう斜め前方へ偏向する第３反射面と、
該第３反射面からの光束を、前記接眼レンズの瞳側へ偏向する第４反射面と
を有する光学系を設け、
前記第４反射面から前記接眼レンズに向かう光束の光軸を前記対物レンズからの光束の光軸と略平行とした、
実像式ファインダ。
【請求項２】
前記対物レンズの光軸をｚ軸、前記光軸を垂線とする平面をｘ−ｙ平面とするとき、
前記第２反射面がｘ−ｚ平面への光束投影において偏向しない反射面であり、
前記第３反射面がｙ−ｚ平面への光束投影において偏向しない反射面である、
請求項１記載の実像式ファインダ。
【請求項３】
前記第１〜第４反射面についての第ｎ反射面（ｎ＝１〜４）のｘ−ｚ平面への光束投影における偏向角をθxn（ｎ＝１〜４）、ｙ−ｚ平面への光束投影における偏向角をθyn（ｎ＝１〜４）としたとき、下記角度条件、
（１）２０°＜θx1＜４５°
（２）２０°＜θy1＜４５°
（３）９０°＜θx2＜１３５°
（４）θy2＝０°
（５）θy3＝０°
（６）θx1＋θx2＋θx3＋θx4＝１８０°
（７）θy1＋θy2＋θy3＋θy4＝１８０°
を満たす、
請求項２に記載の実像式ファインダ。
【請求項４】
正の屈折率の対物レンズと、該対物レンズによる像を拡大する正の屈折率の接眼レンズとを備えた実像式ファインダにおいて、
前記対物レンズと接眼レンズの間に、
前記対物レンズからの光束を、前記対物レンズの光軸に対して水平方向の側方へ偏向する第１反射面と、
該第１反射面からの光束を、前記対物レンズに向かう斜め前方へ偏向する第２反射面と、
該第２反射面からの光束を、前記対物レンズに向かう斜め前方へ偏向する第３反射面と、
該第３反射面からの光束を、前記接眼レンズ瞳側へ偏向する第４反射面と
を有する光学系を設け、
前記第４反射面から前記接眼レンズに向かう光束の光軸を前記対物レンズからの光束の光軸と略平行とした
実像式ファインダ。
【請求項５】
前記対物レンズの光軸をｚ軸、前記光軸を垂線とする平面をｘ−ｙ平面とするとき、
前記第１反射面がｘ−ｚ平面への光束投影において偏向しない反射面であり、
前記第３反射面がｙ−ｚ平面への光束投影において偏向しない反射面である、
請求項４記載の実像式ファインダ。
【請求項６】
前記第１〜第４反射面についての第ｎ反射面（ｎ＝１〜４）のｘ−ｚ平面への光束投影における偏向角をθxn、ｙ−ｚ平面への光束投影における偏向角をθynとしたとき、下記角度条件、
（１）θx1＝０°      
（２）θy1＝９０°
（３）２０°＜θx2＜４５°
（４）２０°＜θy2＜９０°
（５）θy3＝０°
（６）θx3＋θx4＋θx1＝１８０°
（７）θy1＋θy2＋θy4＝１８０°
を満たす、
請求項５に記載の実像式ファインダ。
【発明の詳細な説明】
【技術分野】
【０００１】
本発明は各種のカメラに用いるビューファインダ（以下、ファインダ）に関する。
本発明は特に、小型かつ低価格で、高い形状精度が達成でき、高性能の正立正像を得ることができる実像式ビューファインダ（以下、実像式ファインダ）に関する。
【背景技術】
【０００２】
ファインダは虚像式のものと実像式のものとが知られているが、後者、すなわち、光学系内に実像を作る実像式ファインダは、虚像式ファインダと比較すると、明るい視野が得られる、フレームが明瞭に見える、比較的高変倍のズーム化が可能であるという利点がある。他方、実像式ファインダは、虚像式ファインダにおけるハーフミラーは不要であるが、正立正像を作るためミラー、プリズムなどの像反転光学系が必要になり、大型になるという不利益がある。
そこで、実像式ファインダの小型化が望まれている。特に、カメラ付携帯電話機、ディジタルカメラ、ビデオカメラなどの各種カメラに用いる実像式ファインダの小型化が強く望まれている。
【０００３】
上述した実像式ファインダとして、対物光学系（対物レンズ）により形成された倒立像を正立正像に変換するため正立正像系にダハ反射部を用いることが提案されている。
しかしながら、その方法では、ダハ反射部を用いると対物レンズの先端から接眼レンズまでの長さが長くなるという問題が指摘されている。
【０００４】
上述したダハ反射部を用いることに起因する問題を克服するため、たとえば、特開平８−１２９２０３号公報は、接眼レンズの前にダハ反射部を配設し、対物レンズからの光束を２枚の反射部でダハ反射部に導き、ダハ反射部から接眼レンズに光束を導く実像式ファインダを記載している。
【特許文献１】特開平８−１２９２０３号公報
【発明の開示】
【発明が解決しようとする課題】
【０００５】
対物光学系（対物レンズ）により形成された倒立像を正立正像に変換するため正立正像系にダハ反射部を用いた上記方法では、依然として下記の問題に遭遇する。
（１）ダハ反射部（ダハプリズム）に高い形状精度が要求されており、樹脂などを用いて製造することが難しく、歩留まりが低く、価格が高くなる。したがって、そのようなダハプリズムを用いた実像式ファインダの価格も高くなる。
（２）ダハプリズムとして十分に高い形状精度が満足されない場合には、それを用いた実像式ファインダの設計性能を著しく低下させることになる。
（３）形状精度を満足するために、ガラスを用いてダハプリズムを製造すると、高価になり、ガラス製のダハプリズムを実像式ファインダに適用すると、重くなる。よって、そのような実像式ファインダを携帯電話機に搭載することが困難になる。
【０００６】
本発明は、上述した課題を克服して、小型かつ低価格で、高い形状精度が達成でき、高性能の正立正像を得ることができる実像式ファインダを提供することを目的とする。
【課題を解決するための手段】
【０００７】
本発明の第１の観点によれば、正の屈折率の対物レンズと、該対物レンズによる像を拡大する正の屈折率の接眼レンズとを備えた実像式ファインダにおいて、前記対物レンズと前記接眼レンズの間に、前記対物レンズからの光束を、前記対物レンズに向かう斜め前方へ偏向する第１反射面と、該第１反射面からの光束を、前記対物レンズに向かう斜め前方へ偏向する第２反射面と、該第２反射面からの光束を、前記対物レンズに向かう斜め前方へ偏向する第３反射面と、該第３反射面からの光束を、前記接眼レンズの瞳側へ偏向する第４反射面とを有する光学系を設け、前記第４反射面から前記接眼レンズに向かう光束の光軸を前記対物レンズからの光束の光軸と略平行とした、実像式ファインダが提供される。
【０００８】
好ましくは、前記対物レンズの光軸をｚ軸、前記光軸を垂線とする平面をｘ−ｙ平面とするとき、前記第２反射面がｘ−ｚ平面への光束投影において偏向しない反射面であり、前記第３反射面がｙ−ｚ平面への光束投影において偏向しない反射面である。
【０００９】
また好ましくは、前記第１〜第４反射面についての第ｎ反射面（ｎ＝１〜４）のｘ−ｚ平面への光束投影における偏向角をθxn（ｎ＝１〜４）、ｙ−ｚ平面への光束投影における偏向角をθyn（ｎ＝１〜４）としたとき、下記角度条件、
（１）２０°＜θx1＜４５°
（２）２０°＜θy1＜４５°
（３）９０°＜θx2＜１３５°
（４）θy2＝０°
（５）θy3＝０°
（６）θx1＋θx2＋θx3＋θx4＝１８０°
（７）θy1＋θy2＋θy3＋θy4＝１８０°
を満たす。
【００１０】
本発明の第２の観点によれば、正の屈折率の対物レンズと、該対物レンズによる像を拡大する正の屈折率の接眼レンズとを備えた実像式ファインダにおいて、前記対物レンズと接眼レンズの間に、前記対物レンズからの光束を、前記対物レンズの光軸に対して水平方向の側方へ偏向する第１反射面と、該第１反射面からの光束を、前記対物レンズに向かう斜め前方へ偏向する第２反射面と、該第２反射面からの光束を、前記対物レンズに向かう斜め前方へ偏向する第３反射面と、該第３反射面からの光束を、前記接眼レンズ瞳側へ偏向する第４反射面とを有する光学系を設け、前記第４反射面からの前記接眼レンズに向かう光束の光軸を前記対物レンズからの前記第１反射面に向かう光束の光軸と略平行とした、実像式ファインダが提供される。
【００１１】
好ましくは、前記対物レンズの光軸をｚ軸、前記光軸を垂線とする平面をｘ−ｙ平面とするとき、前記第１反射面がｘ−ｚ平面への光束投影において偏向しない反射面であり、前記第３反射面がｙ−ｚ平面への光束投影において偏向しない反射面である。
【００１２】
また好ましくは、前記第１〜第４反射面についての第ｎ反射面（ｎ＝１〜４）のｘ−ｚ平面への光束投影における偏向角をθxn、ｙ−ｚ平面への光束投影における偏向角をθynとしたとき、下記角度条件、
（１）θx1＝０°      
（２）θy1＝９０°
（３）２０°＜θx2＜４５°
（４）２０°＜θy2＜９０°
（５）θy3＝０°
（６）θx3＋θx4＋θx1＝１８０°
（７）θy1＋θy2＋θy4＝１８０°
を満たす。
【００１３】
本発明の実像式ファインダにはダハプリズムを用いず、実像式ファインダとして４枚の反射面、すなわち、第１〜第４反射面を有する光学系を用いる。
第１〜第４反射面の条件は下記になる。すなわち、全体として正のパワーを有する対物系によって形成される像を、全体として正のパワーを有する接眼系によって拡大して観察する実像式ファインダーにおいて、倒立像を反転するための正立正像系（ミラー、および／または、プリズム）を以下の条件により構成する。
【００１４】
１．撮影画面の水平方向をｘ軸、垂直方向をｙ軸、ファインダーへの入射光軸をｚ軸としたとき、ｘ−ｚ平面の投影角度群（θx1，θx2、θx3、θx4）と、ｙ−ｚ平面の投影角度群（θy1、θy2、θy3、θy4）は下記条件を満足するように設定する。
θx1＋θx2＋θx3＋θx4＝１８０°、かつ、θy1＋θy2＋θy3＋θy4＝１８０°
または
θx3＋θx4＋θx1＝１８０°、かつ、θy1＋θy2＋θy4＝１８０°
【００１５】
２．第１反射面は、第１反射面で反射された（偏向された）後の反射光束（第１反射光束）の光軸が実像式ファインダへの入射光軸を含みｘ−ｚ平面（水平面）もしくはｙ−ｚ平面（垂直面）内に存在しないように配置する。すなわち、第１反射光束の光軸の投影角度は、第１反射面が、下記の条件に基づく反射面となるような角度である。
ｘ−ｚ平面への投影角度（射影角）θx1は、２０°＜｜θx1｜＜４５゜
、かつ、
ｙ−ｚ平面への投影角度（射影角）θx2は、２０°＜｜θx2｜＜４５°
【００１６】
３．第２反射面は、第２反射面で反射された（偏向された）後の反射光束（第２反射光束）の光軸を含みｘ−ｚ平面（水平面）に垂直な平面、すなわち、ｙ−ｚ平面（垂直面）内で投影角度θy2を有する反射面である。すなわち、
第２反射光束の光軸の投影角度θy2は、９０゜＜θy2＜１３５°
第２反射光束の光軸の延長線は入射光軸と、〔１８０°−（θy1＋θy2）〕の角度で交差するように偏向する。
第１反射面により投影角度θx1に偏向された光軸を投影角度θx2で偏向しない。すなわち、θx2＝０°となる。
【００１７】
４．第３反射面は、第２反射面により投影角度θx2に偏向された反射光束（第２反射光束）の光軸を投影角度θx3で偏向する反射面、かつ、第２反射面により投影角度θy2に偏向された反射光線（第２反射光束）の光軸を投影角度θy3に偏向しない反射面を持つ角度、すなわち、θy3＝０°である。
【００１８】
５．第４反射面は、第３反射面により投影角度θy3で偏向された反射光束（第３反射光束）の光軸を投影角度θx4で偏向する反射面、かつ、第３反射面により投影角度θy3に偏向された反射光束（第３反射光束）の光軸を投影角度θy4で偏向する反射面である。
【発明の効果】
【００１９】
本発明によれば、小型の実像式ファインダが製造できる。
また、本発明の実像式ファインダは、基準面が規定できるので、カメラへの組み込みが容易な上、調整の負担が少ない。
本発明の実像式ファインダは、ダハプリズム（ダハ反射部材）を使用していないので、形状精度の問題がない。
本発明の実像式ファインダは、ミラー、プリズムを用いて構成することができるので、製造が容易で価格も安くできる。このようなミラー、プリズムは、樹脂を用いて形成できるので、実像式ファインダは軽量である。
【発明を実施するための最良の形態】
【００２０】
本発明の実像式ファインダの好適な実施の形態を添付図面を参照して述べる。
本実施の形態の実像式ファインダは、たとえば、ディジタルスチルカメラ、銀塩カメラ、携帯電話機に搭載するカメラなどに適用される。
本実施の形態の実像式ファインダは、カメラの対物レンズと接眼レンズとの間に配設される。
【００２１】
〔第１実施の形態〕
図１〜図３を参照して本発明の実像式ファインダの第１実施の形態について述べる。
図１は本発明の第１実施の形態の実像式ファインダの構成図である。
図２は図１に図解した実像式ファインダの光線軌跡の理解を容易にするため、反射面を中心に図解した図である。
図３（Ａ）は、図１および図２に図解した実像式ファインダにおけるｘ−ｚ平面（水平面）における光線投影の角度条件を図解した図であり、図３（Ｂ）はｙ−ｚ平面（垂直面）における光線投影の角度条件を図解した図である。
【００２２】
第１実施の形態の実像式ファインダ１０は、対物レンズ１と接眼レンズ２との間に配設されており、対物レンズ１の光軸が実像式ファインダ１０の光入射光軸（第１光軸）２１に一致し、接眼レンズ２の光軸が実像式ファインダ１０の光出射光軸（第２光軸）２２に一致している。
対物レンズ１の左側前方に撮像対象の物体が位置する。
光入射光軸２１と光出射光軸２２とは平行またはほぼ平行になっている。
図１〜図３は、光入射光軸２１および光出射光軸２２と同じ方向にｚ軸が位置し、ｚ軸と水平面において直交する向きにｘ軸が位置し、ｘ−ｚ平面（水平面）と直交する向きにｙ軸が位置する３次元座標系で図解している。
【００２３】
図１および図２において、実像式ファインダ１０は、第１反射面Ｒ１と第２反射面Ｒ２とを有する第１反射光学系１１と、第３反射面Ｒ３を有する第２反射光学系１２と、第４反射面Ｒ４を有する第３反射光学系１３とを有する。
第１反射面Ｒ１および第２反射面Ｒ２を有する第１反射光学系１１は光を透過させる必要がないので、ミラーとして構成することができる。
第３反射面Ｒ３を有する第２反射光学系１２は、たとえば、ペンタプリズムとして構成することができる。
第４反射面Ｒ４を有する第３反射光学系１３は、ミラーまたはプリズムとして構成することができる。
ペンタプリズムとしての第２反射光学系１２、および／または、プリズムとしての第３反射光学系１３は、たとえば、光透過性樹脂またはガラスで形成することができる。光透過性樹脂（またはプラスチック）でこれらを製造した場合、軽量かつ安価に製造できる。
【００２４】
実像式ファインダ１０には、ダハプリズム（ダハ反射部材）を用いていない。したがって、ダハプリズム（ダハ反射部材）を用いることに起因する種々の問題の影響を受けない。
【００２５】
第１反射光学系１１において、第１反射面Ｒ１は、光入射光軸２１と直交する向きに光入射光軸２１と９０度未満の角度で傾斜しており、光入射光軸２１に沿って対物レンズ１から入射した入射光束ｌｐ０を反射させた第１反射光束ｌｐ１として光入射光軸２１の下方、かつ、光入射光軸２１に沿って到来する入射光束ｌｐ０の進行方向と逆方向に、偏向させる（指向させる）。
第１反射光束ｌｐ１の進行先に、第２反射面Ｒ２が位置しており、第２反射面Ｒ２は第１反射光束ｌｐ１を、光入射光軸２１に沿って入射光束ｌｐ０の進行方向と逆向きに進むように、反射させる。その反射光を第２反射光束ｌｐ２という。第２反射光束ｌｐ２の進行方向の前方に第３反射面Ｒ３が位置している。
第２反射光学系１２の第３反射面Ｒ３は、たとえば、第１反射光学系１１の第２反射面Ｒ２とほぼ同一平面に位置している。第３反射面Ｒ３は第２反射面Ｒ２で反射された第２反射光束ｌｐ２を第３反射光束ｌｐ３として反射する。第３反射光束ｌｐ３の進行方向の前方に第４反射面Ｒ４が位置している。
第３反射光学系１３の第４反射面Ｒ４は、光入射光軸２１を基準として第３反射面Ｒ３より上部に位置し、第３反射面Ｒ３で反射された第３反射光束ｌｐ３を第４反射光束ｌｐ４として反射させる。第４反射光束ｌｐ４は光出射光軸（第２光軸）２２に沿って進行し、接眼レンズ２の瞳に入射する。
【００２６】
図１〜図２を参照して光線軌跡を述べる。
光入射光軸２１に沿って対物レンズ１から射出された物体の像を示す入射光束ｌｐ０が第１反射面Ｒ１に入射されると、第１反射面Ｒ１において反射され第１反射光束ｌｐ１として、光入射光軸２１を基準として第１反射面Ｒ１の下方に位置し、かつ、第１反射面Ｒ１より対物レンズ１側に戻る位置（対物レンズ１に向かう向き）に位置する第２反射面Ｒ２に入射される。すなわち、第１反射面Ｒ１は、光入射光軸２１に沿って進行してきた入射光束ｌｐ０を、光入射光軸２１の下方、かつ、対物レンズ１側に反射させた第１反射光束ｌｐ１を生成する。
第２反射面Ｒ２に入射された第１反射光束ｌｐ１は再びそこで反射されて第２反射光束ｌｐ２として第３反射面Ｒ３に入射される。第３反射面Ｒ３は第２反射面Ｒ２より、対物レンズ１側（前方）に位置しているから、第２反射光束ｌｐ２は対物レンズ１の方向に戻る。
第３反射面Ｒ３に入射された第２反射光束ｌｐ２はそこで第３反射光束ｌｐ３として反射され、第３反射面Ｒ３の上方に位置する第４反射面Ｒ４に入射する。ここで、対物レンズ１により形成された倒立像を正立正像に変換する。
第４反射面Ｒ４に入射された正立正像の第３反射光束ｌｐ３は、第４反射面Ｒ４で反射されて、光出射光軸２２に沿って第４反射光束ｌｐ４として接眼レンズ２の瞳に入射する。
以上により、対物レンズ１により形成された物体についての倒立像が、拡大された正立正像として接眼レンズ２に入射される。
【００２７】
図３（Ａ）、（Ｂ）は、図１に図解した実像式ファインダ１０の角度条件および光線軌跡を説明（規定）する図である。
光入射光軸２１と同じ向きにｚ軸が位置し、ｚ軸と水平面において直交する向きにｘ軸が位置し、ｘ−ｚ平面（水平面）と直交する向きにｙ軸が位置する３次元座標系における、実像式ファインダ１０の角度条件を述べる。
図３（Ａ）は、ｘ−ｚ平面（水平面）における光線投影の角度条件を図解した図であり、図３（Ｂ）は、ｙ−ｚ平面（垂直面）における光線投影の角度条件を図解した図である。
角度θx1およびθy1は、第１反射光束ｌｐ１の偏向状態を、それぞれ、ｘ−ｚ平面（水平面）、ｙ−ｚ平面（垂直面）へ投影した際の、光入射光軸２１となす角度（以下、投影角度、または射影角）を表す。同様に、角度θx2およびθy2は、第２反射光束ｌｐ２の偏向状態を、それぞれ、ｘ−ｚ平面、ｙ−ｚ平面へ投影した際の投影角度を表す。角度θx3およびθy3は、第３反射光束ｌｐ３の偏向状態を、それぞれ、ｘ−ｚ平面、ｙ−ｚ平面へ投影した際の投影角度を表す。角度θx4およびθy4は、第４反射光束ｌｐ４の偏向状態を、それぞれ、ｘ−ｚ平面、ｙ−ｚ平面へ投影した際の投影角度を表す。
【００２８】
（１）対物レンズ１から実像式ファインダ１０に入射する入射光束ｌｐ０が光入射光軸２１と同じ方向のｚ軸に沿って第１反射面Ｒ１に入射されると、第１反射面Ｒ１において、ｘ−ｚ平面（水平面）における第１投影角度θx1およびｙ−ｚ平面（垂直面）における第１投影角度θy1で反射されて第１反射光束ｌｐ１として第２反射面Ｒ２に向かう。
（２）第２反射面Ｒ２に入射した第１反射光束ｌｐ１は、第２反射面Ｒ２において、ｘ−ｚ平面における第２投影角度θx2およびｙ−ｚ平面における第２投影角度θy2で反射されて第２反射光束ｌｐ２として第３反射面Ｒ３に向かう。
（３）第３反射面Ｒ３に入射した第２反射光束ｌｐ２は、第３反射面Ｒ３において、ｘ−ｚ平面における第３投影角度θx3およびｙ−ｚ平面における第３投影角度θy3で反射されて第３反射光束ｌｐ３として第４反射面Ｒ４に向かう。
（４）第４反射面Ｒ４に入射した第３反射光束ｌｐ３は、第４反射面Ｒ４において、ｘ−ｚ平面における第４投影角度θx4およびｙ−ｚ平面における第４投影角度θy4で反射されて第４反射光束（出射光束）ｌｐ４として、光入射光軸２１と平行している光出射光軸２２に沿って接眼レンズ２に入射する。
【００２９】
各反射面Ｒ１〜Ｒ４の条件について述べる。
〔第１反射面の条件〕
第１反射面Ｒ１は、光入射光軸２１に沿って入射された入射光束ｌｐ０が第１反射面Ｒ１で反射された（偏向された）光、すなわち、第１反射光束ｌｐ１の光軸が実像式ファインダ１０の光入射光軸２１を含み、ｘ−ｚ平面（水平面）もしくはｙ−ｚ平面（垂直面）内に存在しないように配置する。
すなわち、第１反射光束ｌｐ１の光軸の角度は、ｘ−ｚ平面への投影角度（射影角）で下記(1) 式で規定する条件とする反射面であり、かつ、ｙ−ｚ平面への投影角度（射影角度）で下記(2) 式で規定する反射面を持つ角度にする。
２０°＜｜θx1｜＜４５°                          ・・・(1) 
かつ
２０°＜｜θy1｜＜４５°                          ・・・(2) 
【００３０】
上述した条件の理由を述べる。
投影角度（射影角度）θx1およびθy1が上限（４５°）を越えた場合には、第１反射面Ｒ１の有効径が大きくなる。他方、投影角度θx1またはθy1が下限（２０°）以下の場合には第２反射面Ｒ２の有効径が大きくなる。
このように、総合的に判断すると、上記(1) および(2) の式で規定される条件を満足させないと、反射光学系（第１反射光学系１１、第２反射光学系１２および第３反射光学系１３）の寸法が大きくなる。すなわち、式(1) 、(2) を満足することが、第１反射光学系１１、第２反射光学系１２および第３反射光学系１３からなる反射光学系のｘ，ｙ方向（光入射光軸、すなわち、ｚ軸を基準として横方向と高さ方向）のスペース（寸法）を小型にするために必要な条件である。
【００３１】
〔第２反射面の条件〕
第２反射面Ｒ２は、第１反射面Ｒ１により反射された（偏向された）第１反射光束ｌｐ１の光軸を含みｘ−ｚ平面（水平面）に垂直な平面（ｙ−ｚ平面）内で投影角度θy2を有する反射面である。すなわち、第２反射面Ｒ２については下記の条件が成り立つ。
（１）第２反射光束ｌｐ２の光軸の角度条件は、９０°＜θy2＜１３５°
・・・(3) 
（２）第１反射面Ｒ１で偏向された第１反射光束ｌｐ１の光軸の延長線は、光入射光軸２１と、〔１８０°−（θy1＋θy2）〕の角度で交差するように偏向する反射面であること
・・・(4) 
（３）第１反射面Ｒ１により投影角度θx1に偏向された第１反射光束ｌｐ１の光軸を投影角度θx2で偏向しない反射面、すなわち、θx2＝０°であること。
・・・(5) 
【００３２】
なお、図３（Ａ）において、投影角度θx2＝０°を示す第２反射光束ｌｐ２を小さな黒丸（ドット）で図解している。
上述した条件の理由を述べる。
(3) 式は、第２反射面Ｒ２の偏向角に関する制約条件であり、反射により第２反射光束ｌｐ２が偏向すると同時に、正立正像のため、反転像を形成する。投影角度θy2が上限（１３５°）を超えると第２反射面Ｒ２の有効径が大きくなり、下限（９０°）以下になると第３反射面Ｒ３の有効径が大きくなる。したがって、式(3) を満足することが、反射光学系（第１反射光学系１１、第２反射光学系１２および第３反射光学系１３）のｘ，ｙ方向（光入射光軸、すなわち、ｚ軸を基準として横方向と高さ方向）のスペース（寸法）を小型にするために必要な条件である。
【００３３】
〔第３反射面の条件〕
第３反射面Ｒ３は、第２反射面Ｒ２により偏向された第２反射光束ｌｐ２の光軸を投影角度θx3で偏向する反射面であり、かつ、第２反射面Ｒ２により投影角度θy2に偏向された第２反射光束ｌｐ２の光軸を偏向しない反射面である。すなわち、下記の条件が成立する。
θy3＝０°                                                      ・・・(6) 
【００３４】
なお、図３（Ｂ）において、投影角度θy3＝０°を示す第３の光束ｌｐ３を小さな黒丸（ドット）で図解している。
(5) 、(6) 式は対物レンズ１で撮像した画面（画像）の回転誤差を抑制するための条件式で、(5) 、(6) 式の条件を満足することにより、反射光学系（第１反射光学系１１、第２反射光学系１２、第３反射光学系１３）の基準面、たとえば、ｘ−ｚ平面（水平面）およびｙ−ｚ平面（垂直面）を適切に設けることが可能になり、反射光学系を実像式ファインダに正確に組み込むことが容易になる。
【００３５】
〔第４反射面の条件〕
第４反射面Ｒ４は、第３反射面Ｒ３により偏向された第３反射光束ｌｐ３の光軸を投影角度θx4で偏向する反射面であり、かつ、第３反射光束ｌｐ３の光軸を投影角度θy4で偏向する反射面である。
【００３６】
なお、図３（Ａ）、（Ｂ）の図解から明らかなように、ｘ−ｚ平面（水平面）における投影角度群（θx1，θx2、θx3、θx4）と、ｙ−ｚ平面（垂直面）における投影角度群（θy1、θy2、θy3、θy4）は下記条件を満足するように設定される。
（１）θx1＋θx2＋θx3＋θx4＝１８０°                ・・・(7) 
、かつ、
θy1＋θy2＋θy3＋θy4＝１８０°                ・・・(8) 
（２）または、θx2＝０，θy3＝０から、
θx3＋θx4＋θx1＝１８０°                      ・・・(9) 
、かつ、
θy1＋θy2＋θy4＝１８０°                      ・・・(10)
【００３７】
(7) 〜(10)式は接眼レンズ２への光出射光軸２２を対物レンズ１の光入射光軸２１に平行な光線にするための条件式である。
【００３８】
以上述べたように、本発明の第１実施の形態によれば、小型の実像式ファインダ１０が製造できる。
また、実像式ファインダ１０の基準面が規定できるので、カメラへの組み込みが容易な上、調整の負担が少ない。
本発明の第１実施の形態の実像式ファインダ１０は、ダハプリズム（ダハ反射部材）を使用していないので、形状精度の問題がない。
本発明の実像式ファインダ１０は、ミラーとして構成できる第１反射光学系１１と、たとえば、ペンタプリズムとして構成できる第２反射光学系１２と、たとえば、ミラーとして構成できる第３反射光学系１３を用いて構成することができるので、製造が容易で価格も安くできる。このようなミラー、プリズムは、樹脂（またはプラスチック）を用いて形成できるので、実像式ファインダは軽量である。
【００３９】
〔第２実施の形態〕
図４〜図６を参照して本発明の実像式ファインダの第２実施の形態について述べる。
図４は本発明の第２実施の形態の実像式ファインダの構成図である。
図５は図４に図解した実像式ファインダの光線軌跡の理解を容易にするため、反射面を中心に図解した図である。
図６（Ａ）は、図４および図５に図解した実像式ファインダにおけるｘ−ｚ平面（水平面）における光線投影の角度条件を図解した図であり、図６（Ｂ）はｙ−ｚ平面（垂直面）における光線投影の角度条件を図解した図である。
【００４０】
第２実施の形態の実像式ファインダ１０Ａは、対物レンズ１と接眼レンズ２との間に配設されており、対物レンズ１の光軸が実像式ファインダ１０Ａの光入射光軸（第１光軸）２１に一致し、接眼レンズ２の光軸が実像式ファインダ１０Ａの光出射光軸（第２光軸）２２に一致している。
対物レンズ１の左側前方に撮像対象の物体が位置する。
光入射光軸２１と光出射光軸２２とは平行またはほぼ平行になっている。
図４〜図６は、光入射光軸２１および光出射光軸２２と同じ方向にｚ軸が位置し、ｚ軸と水平面において直交する向きにｘ軸が位置し、ｘ−ｚ平面（水平面）と直交する向きにｙ軸が位置する３次元座標系で図解している。
【００４１】
図４および図５において、実像式ファインダ１０Ａは、第１反射面Ｒ１を有する第１反射光学系１１Ａと、第２反射面Ｒ２を有する第２反射光学系１２Ａと、第３反射面Ｒ３および第４反射面Ｒ４を有する第３反射光学系１３Ａとを有する。
第１反射面Ｒ１を有する第１反射光学系１１Ａはプリズムとして構成することができる。
第２反射面Ｒ２を有する第２反射光学系１２Ａは、たとえば、ペンタプリズムとして構成することができる。
第３反射面Ｒ３および第４反射面Ｒ４を有する第３反射光学系１３Ａは、プリズムとして構成することができる。
第１〜第３反射光学系１１Ａ〜１３Ａは、たとえば、光透過性樹脂またはガラスで形成することができる。
【００４２】
第２実施の形態実像式ファインダ１０Ａにおいても、ダハプリズム（ダハ反射部材）を用いていない。したがって、ダハプリズム（ダハ反射部材）を用いることに起因する種々の問題の影響を受けない。
【００４３】
図４〜図５を参照して光線軌跡を述べる。
光入射光軸（第１光軸）２１に沿って対物レンズ１から射出された物体の像を示す入射光束ｌｐ０が第１反射面Ｒ１に入射されると、第１反射面Ｒ１において反射された光は第１反射光束ｌｐ１として、光入射光軸２１を基準として第１反射面Ｒ１の上方に位置し、かつ、第１反射面Ｒ１より対物レンズ１側に戻る位置に位置する第２反射面Ｒ２に入射される。すなわち、第１反射面Ｒ１は、光入射光軸２１に沿って進行してきた入射光束ｌｐ０を、光入射光軸２１の上方、かつ、対物レンズ１側に向かう第１反射光束ｌｐ１を生成する。
第２反射面Ｒ２に入射された第１反射光束ｌｐ１は再びそこで反射されて第２反射光束ｌｐ２として第３反射面Ｒ３に入射する。第３反射面Ｒ３は第２反射面Ｒ２より対物レンズ１側に位置し、対物レンズ１を向いているから、第２反射光束ｌｐ２は対物レンズ１の方向に戻る。
第３反射面Ｒ３に入射された第２反射光束ｌｐ２はそこで第３反射光束ｌｐ３として反射され、第３反射面Ｒ３の下方に位置する第４反射面Ｒ４に入射する。ここで、対物レンズ１により形成された倒立像を正立正像に変換する。
第４反射面Ｒ４に入射された正立正像の第３反射光束ｌｐ３は、第４反射面Ｒ４で反射されて光出射光軸２２に沿って第４反射光束ｌｐ４として接眼レンズ２の瞳に入射する。
【００４４】
図６（Ａ）、（Ｂ）は、図４に図解した実像式ファインダ１０Ａの角度条件および光線軌跡を説明（規定）する図である。
光入射光軸２１と同じ向きにｚ軸が位置し、ｚ軸と水平面において直交する向きにｘ軸が位置し、ｘ−ｚ平面（水平面）と直交する向きにｙ軸が位置する３次元座標系における、実像式ファインダ１０Ａの角度条件を述べる。
図６（Ａ）は、ｘ−ｚ平面（水平面）における光線投影の角度条件を図解した図であり、図６（Ｂ）は、ｙ−ｚ平面（垂直面）における光線投影の角度条件を図解した図である。
角度θx1およびθy1は、第１反射光束ｌｐ１の偏向状態を、それぞれ、ｘ−ｚ平面、ｙ−ｚ平面へ投影した際の、光入射光軸２１となす投影角度（または射影角）を表す。同様に、角度θx2およびθy2は、第２反射光束ｌｐ２の偏向状態を、それぞれ、ｘ−ｚ平面、ｙ−ｚ平面へ投影した際の投影角度を表す。角度θx3およびθy3は、第３反射光束ｌｐ３の偏向状態を、それぞれ、ｘ−ｚ平面、ｙ−ｚ平面へ投影した際の投影角度を表す。角度θx4およびθy4は、第４反射光束ｌｐ４の偏向状態を、それぞれ、ｘ−ｚ平面、ｙ−ｚ平面へ投影した際の投影角度を表す。
【００４５】
（１）対物レンズ１から実像式ファインダ１０Ａに入射する入射光束ｌｐ０が光入射光軸２１と同じ方向のｚ軸に沿って第１反射面Ｒ１に入射されると、第１反射面Ｒ１において、ｘ−ｚ平面における第１投影角度θx1およびｙ−ｚ平面における第１投影角度θy1で反射されて第１反射光束ｌｐ１として第２反射面Ｒ２に向かう。
（２）第２反射面Ｒ２に入射した第１反射光束ｌｐ１は、第２反射面Ｒ２において、ｘ−ｚ平面における第２投影角度θx2およびｙ−ｚ平面における第２投影角度θy2で反射されて第２反射光束ｌｐ２として第３反射面Ｒ３に向かう。
（３）第３反射面Ｒ３に入射した第２反射光束ｌｐ２は、第３反射面Ｒ３において、ｘ−ｚ平面における第３投影角度θx3およびｙ−ｚ平面における第３投影角度θy3で反射されて第３反射光束ｌｐ３として第４反射面Ｒ４に向かう。
（４）第４反射面Ｒ４に入射した第３反射光束ｌｐ３は、第４反射面Ｒ４において、ｘ−ｚ平面における第４投影角度θx4およびｙ−ｚ平面における第４投影角度θy4で反射されて第４反射光束（出射光束）ｌｐ４として、光入射光軸２１と平行している光出射光軸２２に沿って接眼レンズ２の瞳に入射する。
【００４６】
各反射面Ｒ１〜Ｒ４の条件について述べる。
〔第１反射面の条件〕
第１実施の形態と同様、第１反射面Ｒ１は、光入射光軸２１に沿って入射された入射光束ｌｐ０が第１反射面Ｒ１で反射されて偏向された光、すなわち、第１反射光束ｌｐ１の光軸が実像式ファインダ１０Ａの光入射光軸２１を含み、ｘ−ｚ平面もしくはｙ−ｚ平面内に存在しないように配置する。
すなわち、第１反射光束ｌｐ１の光軸の角度は、ｘ−ｚ平面への投影角度（射影角）θx1＝０で規定する条件とする反射面であり、かつ、ｙ−ｚ平面への投影角度（射影角度）はθy1で規定する反射面を持つ角度にする。
【００４７】
〔第２反射面の条件〕
第１実施の形態と同様、第２反射面Ｒ２は、第１反射面Ｒ１により反射された（偏向された）第１反射光束ｌｐ１の光軸を含みｘ−ｚ平面（水平面）に垂直な平面（ｙ−ｚ平面）内で投影角度θy2を有する反射面である。すなわち、第２反射面Ｒ２については上記(3) 〜(5) 式の条件が成り立つ。
【００４８】
なお、図６（Ａ）において、投影角度θx1＝０°を示す第１反射光束ｌｐ１を小さな黒丸（ドット）で図解している。
上述した条件の理由は第１実施の形態と同様である。
【００４９】
〔第３反射面の条件〕
第１実施の形態と同様、第３反射面Ｒ３は、第２反射面Ｒ２により投影角度θy3に偏向された第２反射光束ｌｐ２の光軸を投影角度θx3で偏向する反射面であり、かつ、第２反射面Ｒ２により投影角度θy2に偏向された第２反射光束ｌｐ２の光軸を偏向しない（θy3＝０）反射面である。すなわち、上記(6) 式のが成立する。
なお、図６（Ｂ）において、投影角度θy3＝０°を示す第３反射光束ｌｐ３を小さな黒丸（ドット）で図解している。
【００５０】
第２実施の形態においても、(5) 、(6) 式は対物レンズ１で撮像した画面（画像）の回転誤差を抑制するための条件式で、(5) 、(6) 式の条件を満足することにより、反射光学系（第１反射光学系１１Ａ、第２反射光学系１２Ａ、第３反射光学系１３Ａ）の基準面、たとえば、ｘ−ｚ平面（水平面）およびｙ−ｚ平面（垂直面）を適切に設けることが可能になり、反射光学系を実像式ファインダに正確に組み込むことが容易になる。
【００５１】
〔第４反射面の条件〕
第１実施の形態と同様、第４反射面Ｒ４は、第３反射面Ｒ３により投影角度θx3に偏向された第３反射光束ｌｐ３の光軸を投影角度θx4で偏向する反射面であり、かつ、第３反射面Ｒ３により投影角度θy3に偏向された第３反射光束ｌｐ３の光軸を投影角度θy4で偏向する反射面である。
【００５２】
なお、図６（Ａ）、（Ｂ）の図解から明らかなように、第２実施の形態においても、ｘ−ｚ平面（水平面）における投影角度群（θx1，θx2、θx3、θx4）と、ｙ−ｚ平面（垂直面）における投影角度群（θy1、θy2、θy3、θy4）は上記(7) 〜(10)式の条件を満足するように設定される。
(7) 〜(10)式は、第１実施の形態と同様、接眼レンズ２への光出射光軸２２を対物レンズ１の光入射光軸２１に平行な光線にするための条件式である。
【００５３】
以上述べたように、本発明の第２実施の形態によれば、第１実施の形態と同様、小型の実像式ファインダ１０Ａが製造できる。
また、第１実施の形態と同様、実像式ファインダ１０Ａの基準面が規定できるので、カメラへの組み込みが容易な上、調整の負担が少ない。
本発明の第２実施の形態の実像式ファインダ１０Ａは、第１実施の形態の実像式ファインダ１０と同様、ダハプリズム（ダハ反射部材）を使用していないので、形状精度の問題がない。
本発明の第２実施の形態の実像式ファインダ１０Ａは、プリズムとして構成できる第１反射光学系１１Ａと、たとえば、ペンタプリズムとして構成できる第２反射光学系１２Ａと、たとえば、プリズムとして構成できる第３反射光学系１３Ａを用いて構成することができるので、製造が容易で価格も安くできる。
【００５４】
以上により、第２実施の形態の実像式ファインダ１０Ａは、第１実施の形態の実像式ファインダ１０における場合と同様に、対物レンズ１により形成された物体についての倒立像が、拡大された正立正像として接眼レンズ２に入射される。したがって、実像式ファインダ１０を用いることもできるし、実像式ファインダ１０Ａを用いることもできる。
第１実施の形態の実像式ファインダ１０と、第２実施の形態の実像式ファインダ１０Ａとを比較すると、実像式ファインダ１０においては入射光束ｌｐ０が光入射光軸２１の下側に軌跡をとったが、実像式ファインダ１０Ａにおいては光入射光軸２１の上側に軌跡をとったかの相違がある。
実像式ファインダ１０を適用するか、実像式ファインダ１０Ａを適用するかは、実像式ファインダをカメラに配設（実装）するときのカメラ内の収容条件、換言すれば、実像式ファインダが実装される周囲の部材の配置による実装上の制約に照らして、有利な実像式ファインダを選択的に判断することができる。
【００５５】
本発明の実像式ファインダの実施に際しては、上述した例示的な実像式ファインダ１０および実像式ファインダ１０Ａに限定されず、種々の変形態様をとることができる。
【図面の簡単な説明】
【００５６】
【図１】図１は本発明の第１実施の形態の実像式ファインダの構成図である。
【図２】図２は図１に図解した実像式ファインダの光線軌跡の理解を容易にするため、反射面を中心に図解した図である。
【図３】図３（Ａ）は、図１および図２に図解した実像式ファインダにおけるｘ−ｚ平面（水平面）における光線投影の角度条件を図解した図であり、図３（Ｂ）はｙ−ｚ平面（垂直面）における光線投影の角度条件を図解した図である。
【図４】図４は本発明の第２実施の形態の実像式ファインダの構成図である。
【図５】図５は図４に図解した実像式ファインダの光線軌跡の理解を容易にするため、反射面を中心に図解した図である。
【図６】図６（Ａ）は、図４および図５に図解した実像式ファインダにおけるｘ−ｚ平面（水平面）における光線投影の角度条件を図解した図であり、図６（Ｂ）はｙ−ｚ平面（垂直面）における光線投影の角度条件を図解した図である。
【符号の説明】
【００５７】
１・・対物レンズ、２・・接眼レンズ
１０・・実像式ファインダ
１１〜１３・・第１〜３反射光学系
Ｒ１〜Ｒ４・・第１〜４反射面
２１・・光入射光軸、２２・・光出射光軸
１０Ａ・・実像式ファインダ
１１Ａ〜１３Ａ・・第１〜３反射光学系
Ｒ１Ａ〜Ｒ４Ａ・・第１〜４反射面
２１Ａ・・光入射光軸、２２Ａ・・光出射光軸
θxn，θx1，θx2，θx3，θx4・・ｘ−ｚ平面（水平面）における投影角度
θyn，θy1，θy2，θy3，θy4・・ｙ−ｚ平面（垂直面）における投影角度
ｌｐ０・・入射光束
ｌｐ１〜ｌｐ４・・第１〜第４反射光束
【図１】
2005134471.tif 000003
【図２】
2005134471.tif 000004
【図３】
2005134471.tif 000005
【図４】
2005134471.tif 000006
【図５】
2005134471.tif 000007
【図６】
2005134471.tif 000008